(57)【要約】      （修正有）【課題】袋体が食品に接触することを防止できる食品用トレイを提供する。【解決手段】食品を載置する底部と、底部の外周縁から立ち上げられた側部５とを備えた食品用トレイ１において、底部は、円形で板状に構成され、下方に突出する多数の補強用のリブ６，７，８，９を備えている。前記底部に、食品と非接触状態で配置される薬剤が入った袋体１０を係止して保持するための保持手段１１を備えていることを特徴とする食品用トレイ。【選択図】図３
0003190031.tif 000002
【実用新案登録請求の範囲】
【請求項１】
食品を載置する底部と、底部の外周縁から立ち上げられた側部とを備えた食品用トレイにおいて、
前記底部に、食品と非接触状態で配置される薬剤が入った袋体を係止して保持するための保持手段を備えていることを特徴とする食品用トレイ。
【請求項２】
前記底部に、下方に突出する複数のリブが形成され、それらリブのうちの少なくとも対向位置する一対のリブの対向する内面に対向方向に突出する突出部が形成され、それら一対のリブの突出部が、前記保持手段を構成していることを特徴とする請求項１に記載の食品用トレイ。
【請求項３】
前記底部に、舌片を形成するための切り込みが複数形成され、それら複数の舌片が、前記保持手段を構成していることを特徴とする請求項１に記載の食品用トレイ。
【請求項４】
前記袋体が矩形状からなり、前記一対のリブが、前記底部の外周縁付近から中心部へ向かう略平行な直線状のリブから構成され、該一対のリブの外側端から前記袋体を水平方向内側に押し込んで該一対のリブの突出部に該袋体を係止して保持させることを特徴とする請求項２に記載の食品用トレイ。
【請求項５】
前記袋体を前記一対のリブに押し込んでいるときに、該袋体の押し込み側先端に当接すべく、該一対のリブと略直交する方向のリブを更に備えていることを特徴とする請求項４に記載の食品用トレイ。
【請求項６】
前記保持された袋体の押し込み側とは反対側の外側部分の一部を上下方向から掴むことができるように、前記底部の外周縁に袋体露出用の切欠きが形成されていることを特徴とする請求項４又は５に記載の食品用トレイ。
【考案の詳細な説明】
【技術分野】
【０００１】
本考案は、ケーキや和菓子等の食品を収容するためのプラスチック製の食品用トレイに関する。
【背景技術】
【０００２】
従来から、例えばケーキが収容された食品用トレイを密閉状態で包装する包装袋に収容して所定場所まで運搬する、又は保管することが行われている。その運搬中や保管中に、包装袋に収容したケーキの品質を維持するための薬剤（乾燥剤又は脱酸素剤等）が入った袋体を包装袋内に入れている。
【０００３】
そして、前記袋体を収容することができる食品用トレイが既に提案されている。この食品用トレイは、食品を載置する載置面（上面）の中央部に袋体を収容することができる凹部を形成して構成されている（例えば、特許文献１参照）。
【先行技術文献】
【特許文献】
【０００４】
【特許文献１】特開平８−１１３２２８号公報
【考案の概要】
【考案が解決しようとする課題】
【０００５】
特許文献１の構成では、袋体が凹部に収容されているだけであるため、例えば運搬中の振動により凹部内の袋体が不測に上下動してしまい、袋体が食品の底面に接触する虞があり、改善の余地があった。
【０００６】
そこで、本考案は、かかる事情に鑑みてなされたもので、袋体が食品に接触することを防止できる食品用トレイを提供することを課題とする。
【課題を解決するための手段】
【０００７】
本考案に係る食品用トレイは、食品を載置する底部と、底部の外周縁から立ち上げられた側部とを備えた食品用トレイにおいて、前記底部に、食品と非接触状態で配置される薬剤が入った袋体を係止して保持するための保持手段を備えていることを特徴としている。
【０００８】
本考案によれば、薬剤の袋体を底部に備えた保持手段により係止して保持することで、食品と非接触状態で配置される薬剤が入った袋体が、運搬時の振動によって上下に移動することがない。よって、薬剤が入った袋体が食品に接触することを防止することができる。
【０００９】
また、本考案に係る食品用トレイは、前記底部に、下方に突出する複数のリブが形成され、それらリブのうちの少なくとも対向位置する一対のリブの対向する内面に対向方向に突出する突出部が形成され、それら一対のリブの突出部が、前記保持手段を構成してもよい。
【００１０】
上記のように、一対のリブの対向する内面に対向方向に突出する突出部を形成するだけの簡単な改造で、薬剤が入った袋体が食品に接触することを防止することができる。
【００１１】
また、本考案に係る食品用トレイは、前記底部に、舌片を形成するための切り込みが複数形成され、それら複数の舌片が、前記保持手段を構成してもよい。
【００１２】
上記のように、複数の切り込みを折り曲げて形成される舌片を薬剤が入った袋体の外周縁に係止するだけで、袋体を保持することができる。
【００１３】
また、本考案に係る食品用トレイは、前記袋体が矩形状からなり、前記一対のリブが、前記底部の外周縁付近から中心部へ向かう略平行な直線状のリブから構成され、該一対のリブの外側端から前記袋体を水平方向内側に押し込んで該一対のリブの突出部に該袋体を係止して保持させる構成であってもよい。
【００１４】
上記のように、袋体を水平方向内側に押し込むだけで、一対のリブの突出部に袋体を係止して保持させることができる。
【００１５】
また、本考案に係る食品用トレイは、前記袋体を前記一対のリブに押し込んでいるときに、該袋体の押し込み側先端に当接すべく、該一対のリブと略直交する方向のリブを更に備えていてもよい。
【００１６】
上記のように、袋体の押し込み側先端に当接するリブを備えていれば、袋体の押し込み側先端がリブに当接するまで袋体を押し込めばよい。従って、袋体の押し込み操作を迅速に行うことができる。
【００１７】
また、本考案に係る食品用トレイは、前記保持された袋体の押し込み側とは反対側の外側部分の一部を上下方向から掴むことができるように、前記底部の外周縁に袋体露出用の切欠きが形成されていてもよい。
【００１８】
上記のように、底部の外周縁に袋体露出用の切欠きが形成されていれば、袋体が保持されていることが上方から見るだけで容易に分かるだけでなく、保持されている袋体の端を上下方向から掴んで迅速に取り外すことができる。
【考案の効果】
【００１９】
以上の如く、本考案によれば、袋体が移動することがないように保持するための保持手段を設けることによって、袋体が食品に接触することを確実に防止することができる食品用トレイを提供することができる。
【図面の簡単な説明】
【００２０】
【図１】本考案に係る食品用トレイにケーキを載置して包装袋により密閉された状態を示す縦断側面図である。
【図２】本考案に係る食品用トレイを上からみた平面図である。
【図３】本考案に係る食品用トレイの正面図である。
【図４】第２の実施形態の食品用トレイを示し、（ａ）は上からみた平面図、（ｂ）は図４（ａ）におけるＡ−Ａ線断面図である。
【図５】第３の実施形態の食品用トレイを示し、（ａ）は上からみた平面図、（ｂ）は図５（ａ）におけるＢ−Ｂ線断面図である。
【図６】第４の実施形態の食品用トレイを示し、（ａ）は上からみた平面図、（ｂ）は図６（ａ）におけるＣ−Ｃ線断面図縦断側面図である。
【図７】第５の実施形態の食品用トレイを示し、（ａ）は上からみた平面図、（ｂ）は図７（ａ）におけるＤ−Ｄ線断面図である。
【図８】第６の実施形態の食品用トレイを示し、（ａ）は上からみた平面図、（ｂ）は図８（ａ）におけるＥ−Ｅ線断面図である。
【図９】第７の実施形態の食品用トレイの左半分を示し、（ａ）は上からみた平面図、（ｂ）は図９（ａ）におけるＦ−Ｆ線断面図である。
【図１０】第８の実施形態の食品用トレイの左半分を示し、（ａ）は上からみた平面図、（ｂ）は図１０（ａ）におけるＧ−Ｇ線断面図である。
【考案を実施するための形態】
【００２１】
以下、本考案に係る食品用トレイの一実施形態について、図面に基づいて説明する。
【００２２】
＜第１実施形態＞
図１には、食品用トレイ１にケーキや和菓子等の食品２が載置されて包装袋３により密封された状態が示されている。このように包装袋３により密封された状態で所定場所まで運搬される。ここでは、包装袋３により密封された状態で運搬する場合を示しているが、密封されたものを更に箱詰めして運搬してもよいし、また、密閉可能な容器に食品２が載置された食品用トレイ１を収納して運搬してもよい。食品２としては円柱状のものの他、立方体状のものやリング（ドーナツ）状のもの等、あらゆる形状のものであってもよい。
【００２３】
食品用トレイ１は、図２及び図３に示すように、食品を載置する底部４と、底部４の外周縁から立ち上げられた側部５とを備えたプラスチック製のものから構成されている。また、食品用トレイ１は、一枚の合成樹脂シートを成形加工して構成されている。
【００２４】
合成樹脂シートを構成する材料としては、ポリプロピレン樹脂、ポリエチレン樹脂、ポリエチレンテレフタレート樹脂、ポリスチレン樹脂、ポリカーボネート樹脂、アクリルニトリルコポリマー、ポリ塩化ビニル樹脂などの各種の合成樹脂材料があげられる。また、これらの樹脂に無機質のフィラーを混入して保形強度を高めることもできる。
【００２５】
底部４は、円形で板状に構成され、下方に突出する多数の補強用のリブを備えている。
【００２６】
リブは、底部４の中心部に形成されるリング状の第１リブ６と、底部４の外周縁付近に周方向に沿って所定間隔を置いて形成される７個の円弧状の第２リブ７と、第１リブ６と第２リブ７との間に位置し、かつ、周方向に所定間隔を置いて放射線状に延びる６個の直線状の第３リブ８と、特定の隣り合う２個の第１リブ６，６間に位置し、かつ、所定幅を開けて互いに平行に底部４の外周縁から第１リブ６に向かって延びる一対の直線状の第４リブ９，９とを備えている。各第２リブ７、各第３リブ８、各第４リブ９の長さ方向両端が丸くなった円弧形状になっているが、直線状であってもよい。
【００２７】
第１リブ６は、周方向に沿って形成される円弧状部分６Ａと、円弧状部分６Ａの両端から横方向外側に平行に延びる一対の第１直線部分６Ｂ，６Ｂと、一対の直線部分６Ｂ，６Ｂの両端を繋ぐとともに第４リブ９，９に対して直交する方向に延びる第２直線部分６Ｃとを備えている。
【００２８】
また、底部４には、食品と非接触状態で配置される乾燥剤又は脱酸素剤等の薬剤が入った長方形状の袋体１０を係止して保持するための保持手段１１を備えている。
【００２９】
一対の第４リブ９，９の対向する内面の下側部分のそれぞれに、対向方向に突出し、かつ、リブの長手方向全域に亘る突出部９Ｔ，９Ｔが一体形成されている。また、第１リブ６の第２直線部分６Ｃの外側面の下側部分に、外側へ突出し、かつ、リブの長手方向全域に亘る突出部６Ｔが一体形成されている。これら３個の突出部９Ｔ，９Ｔ、６Ｔが、保持手段１１を構成している。従って、一対の第４リブ９，９の外側端から、袋体１０を水平方向内側に押し込むだけで、一対の第４リブ９，９の突出部９Ｔ，９Ｔ及び第１リブ６の第２直線部分６Ｃの突出部６Ｔに袋体１０の外周縁下面が係止して、袋体１０を底部４の裏面に保持（固定）させることができる。
【００３０】
また、第１リブ６の第２直線部分６Ｃは、一対の第４リブ９，９の外側端から、袋体１０を水平方向内側に押し込んでいるときに、袋体１０の押し込み方向先端が当接して袋体１０の押し込み位置を規制するストッパー部材として機能する。
【００３１】
側部５は、断面形状山形に構成され、周方向一箇所に側部の無い部分を備えている。そして、その側部の無い底部４の外周縁に、袋体露出用の切欠き５Ｋが形成されている。この切欠き５Ｋは、内側に向かう程幅が狭くなる山形状に形成されている。この切欠き５Ｋを形成することによって、袋体１０が保持されているかどうかを底部４の下方から覗くことなく、底部４の上面（表面）側から容易に把握することができる。また、保持された袋体１０の押し込み側とは反対側の外側部分の一部を上下方向から掴んで袋体１０を底部４から迅速に取り外すことができる。
【００３２】
＜第２実施形態＞
図４（ａ），（ｂ）に、食品用トレイの第２実施形態を示している。第１実施形態と異なる部分は、第１リブ６が円形のリング状に構成され、第１リブ６に形成されている突出部６Ｔに代えて、底部４に舌片を形成するための切り込み１２を形成した点であり、他の部分は、同一であるため、同一の符号を付すとともに説明を省略している。
【００３３】
図４（ａ），（ｂ）における保持手段１１が、一対の第４リブ９，９の突出部９Ｔ，９Ｔと、切り込み１２を折り曲げて形成される舌片１３とから構成されている。
【００３４】
＜第３実施形態＞
図５（ａ），（ｂ）に、食品用トレイの第３実施形態を示している。第１実施形態と異なる部分は、袋体１０を底部４の裏面の中央に保持するために、第１リブ６が互いに平行な一対の直線状のリブ６ａ，６ａからなり、これらリブ６ａ，６ａと特定の４個の第３リブ８とで袋体１０を保持することができるように、該４個の第３リブ８を他の第３リブ８よりも長く構成している。また、袋体１０を底部４の中央に保持する構成であるため、側部５を円形のリング状に構成することができるとともに８個の第２リブ７及び８個の第３リブ８を同一間隔（等間隔）で周方向全域に亘って配置することができる。説明しなかった他の部分は、同一であるため、同一の符号を付すとともに説明を省略している。
【００３５】
図５（ａ），（ｂ）における保持手段１１が、一対のリブ６ａ，６ａの突出部６Ｔ，６Ｔと、袋体１０に当接する４個の第３リブ８とから構成されている。
【００３６】
＜第４実施形態＞
図６（ａ），（ｂ）に、食品用トレイの第４実施形態を示している。第１実施形態と異なる部分は、袋体１０を底部４の裏面の中央に保持するために、第１リブ６が互いに平行な一対の直線状のリブ６ａ，６ａからなり、これらリブ６ａ，６ａと直交する方向で袋体１０を係止保持するための舌片１２，１２を形成するための切り込み１３，１３を底部４の中央部に形成した点にある。また、第３実施形態と同様に、袋体１０を底部４の中央に保持する構成であるため、側部５を円形のリング状に構成することができるとともに８個の第２リブ７及び８個の同一長さの第３リブ８を同一間隔（等間隔）で周方向全域に亘って配置することができる。説明しなかった他の部分は、同一であるため、同一の符号を付すとともに説明を省略している。
【００３７】
図６（ａ），（ｂ）における保持手段１１が、一対のリブ６ａ，６ａの突出部６Ｔ，６Ｔと、切り込み１３，１３を折り曲げて形成される舌片１２，１２とから構成されている。
【００３８】
＜第５実施形態＞
図７（ａ），（ｂ）に、食品用トレイの第５実施形態を示している。第４実施形態と異なる部分は、一対のリブ６ａ，６ａを一対の切り込み１４，１４に代えたことである。説明しなかった他の部分は、第４実施形態と同一であるため、同一の符号を付すとともに説明を省略している。
【００３９】
図７（ａ），（ｂ）における保持手段１１が、２組の切り込み１３，１３、１４，１４を折り曲げて形成される４個の舌片１２，１２、１５，１５から構成されている。
【００４０】
＜第６実施形態＞
図８（ａ），（ｂ）に、食品用トレイの第６実施形態を示している。第５実施形態と異なる部分は、底部４の上面側に袋体１０を保持するために、底部４の袋体１０を収容できる矩形状（長方形）の凹部１６を形成している。その凹部１６を構成する４個の縦壁１７，１８，１９，２０の内面の上部側に内側に突出する突出部１７Ｔ，１８Ｔ，１９Ｔ，２０Ｔを縦壁１７，１８，１９，２０の幅方向中央部に所定長さを有するように備えている。凹部１６の深さは、袋体１０を収容した状態で、袋体１０が底部４の上面から突出することがない深さに設定されている。従って、袋体１０を底部４に載置される食品と非接触状態で配置することができる。尚、凹部１６の中心に孔１６Ｋが形成されており、商品２を底部４に載置した状態であっても、底部４の裏面側から孔１６Ｋを通して袋体１０が凹部１６に入れられているかどうかを容易に確認することができる。説明しなかった他の部分は、第５実施形態と同一であるため、同一の符号を付すとともに説明を省略している。
【００４１】
図８（ａ），（ｂ）における保持手段１１が、４個の突出部１７Ｔ，１８Ｔ，１９Ｔ，２０Ｔから構成されている。
【００４２】
＜第７実施形態＞
図９（ａ），（ｂ）に、食品用トレイの第７実施形態を示している。この食品用トレイは、第１実施形態で示した食品用トレイにおいて、保持された袋体１０が外側へ、図９（ａ），（ｂ）では左側へ滑り出してしまうことを防止するための滑り出し防止手段を更に備えている。この滑り出し防止手段は、袋体１０を保持している部分に相当する底部４の下面に下方へ突出して袋体１０の上面に接触するよう形成された複数本（図では５本）の細長いリブ２１から構成されている。これらリブ２１は、同一長さを有し、袋体１０の滑り出し方向と直交する方向に沿う姿勢で滑り出し方向に所定間隔を置いて併設されている。このように設けられた複数のリブ２１が、袋体１０の滑り出す時の移動抵抗となって、袋体１０の外側への滑り出しを防止できる。
【００４３】
＜第８実施形態＞
図１０（ａ），（ｂ）に、食品用トレイの第８実施形態を示している。この食品用トレイは、図９（ａ），（ｂ）で示した滑り出し防止手段の他の実施形態を示すものであり、他の部分は、第１実施形態と同様である。滑り出し防止手段は、袋体１０を保持している部分に相当する底部４から袋体１０の滑り出し方向外側へ一対のリブ９，９間の幅でもって延出形成された可撓性を有する延長片２２から構成されている。従って、袋体１０を保持した状態において、袋体１０の裏面に接触して突出部９Ｔ，９Ｔで係止保持されるまで延長片２２を横軸回りで下方へ折り曲げる。これによって、袋体１０の外側への滑り出しを防止することができるとともに、袋体１０を下方から当接して支持することもできる。
【００４４】
第６実施形態を除く第１実施形態〜第５実施形態、第７実施形態及び第８実施形態のように袋体１０を底部４の裏面（下面）側に保持させる構成の場合、食品を底部４の上面に載置した後でも、袋体１０を保持（装着）させることができ、使用面において有利になる。また、本考案では、袋体１０が底部４に動かないように保持されていることから、例えば図１の包装袋３内に袋体１０が無造作に入れられているような場合に、運搬中において袋体１０が包装袋３内で不測に移動してしまい、包装袋３に傷を付けたり包装袋３が破れてしまうといったトラブルを確実に防止することができる利点もある。
【００４５】
尚、本考案は、前記実施形態に限定されるものではなく、本考案の要旨を逸脱しない範囲で種々の変更が可能である。
【００４６】
前記第１実施形態〜第６実施形態では、円形の食品用トレイを示したが、矩形状又は三角形状あるいは多角形状の食品用トレイであってもよい。
【符号の説明】
【００４７】
１…食品用トレイ、２…食品、３…包装袋、４…底部、５…側部、６…リブ、６Ａ…円弧状部分、６Ｂ，６Ｃ…直線部分、６Ｔ，９Ｔ…突出部、６ａ，６ａ，７，８，９…リブ、１０…袋体、１１…保持手段、１２，１５…舌片、１３，１４…切り込み、１６…凹部、１６Ｋ…孔、１７，１８，１９，２０…縦壁、１７Ｔ，１８Ｔ，１９Ｔ，２０Ｔ…突出部、２１…リブ、２２…延長片
【図１】
0003190031.tif 000003
【図２】
0003190031.tif 000004
【図３】
0003190031.tif 000005
【図４】
0003190031.tif 000006
【図５】
0003190031.tif 000007
【図６】
0003190031.tif 000008
【図７】
0003190031.tif 000009
【図８】
0003190031.tif 000010
【図９】
0003190031.tif 000011
【図１０】
0003190031.tif 000012